(57)【要約】      （修正有）【課題】支持筒部に対する柱の挿入深さを簡単に調整して高さを変更できると共に、耐荷重性の高い手摺スタンドを提供する。【解決手段】高さ調整ねじ８は、支持筒部４の多数の大径ねじ孔４ｂのうちのいずれか１つに螺合装着されるもので、支持筒部を横切って支持筒部の内壁面に押し付けられ突っ張り支持されることによって支持筒部内に挿入されている柱３ａの底部を受け止めて柱の挿入深さを調整するものであり、その長手方向一端側領域にのみ大径ねじ孔４ｂに螺合する雄ねじ部８ａが設けられ、長手方向の残り領域全域の外周面が円形でかつ大径ねじ孔４ｂよりも小径に形成されている。【選択図】図３
0003185591.tif 000002
【実用新案登録請求の範囲】
【請求項１】
床面上に設置されるベースと、このベース上に上向きに突出する状態で設けられる支持筒部と、上方に手摺部が設けられかつ前記支持筒部に下端部分が挿入される柱とを備える手摺スタンドであって、
前記支持筒部の上下方向所定間隔おきには、ねじ孔が設けられており、
前記多数のねじ孔のうちのいずれか１つのねじ孔には、高さ調整ねじが螺合装着されており、
前記高さ調整ねじは、前記支持筒部を横切って前記支持筒部の内壁面に押し付けられることによって前記支持筒部内に挿入されている柱の底部を受け止めて前記支持筒部に対する柱の挿入深さを調整するものであり、
前記高さ調整ねじは、その長手方向一端側領域にのみ前記ねじ孔に螺合する雄ねじ部が設けられ、前記長手方向の残り領域全域の外周面が円形でかつ前記ねじ孔よりも小径に形成されている、ことを特徴とする手摺スタンド。
【請求項２】
請求項１に記載の手摺スタンドにおいて、
前記高さ調整ねじの各軸方向一端面には、ねじ回し工具が係合される凹部が設けられている、ことを特徴とする手摺スタンド。
【請求項３】
請求項１または２に記載の手摺スタンドにおいて、
前記支持筒部の前記多数のねじ孔の上方には、さらにねじ孔が設けられており、
このねじ孔には、止めねじが螺合装着されており、
この止めねじは、その先端が前記支持筒部内に挿入されている柱の外周面に押し付けられることによって前記支持筒部に対する前記柱の抜け止めを行う、ことを特徴とする手摺スタンド。
【考案の詳細な説明】
【技術分野】
【０００１】
本考案は、主に介護、福祉の分野で使用される手摺スタンドに関する。
【背景技術】
【０００２】
例えば高齢者などが日常生活において自力で立ち上がる際あるいはリハビリテーションなどを行う際にバランスを保つように補助可能とするとともに、足腰の負担を軽減可能とするために、手摺スタンドが用いられている。
【０００３】
特許文献１に示されている手摺支柱は、中空状の下部支柱内に上部支柱を嵌合挿入した構成であり、前記下部支柱内に嵌合挿入された前記上部支柱の挿入位置を固定するために、下部支柱の貫通孔から挿通子の先端側を差し入れて、この先端側を前記上部支柱の筒状部内の取付孔に嵌合挿入させ、この挿通子の頭部のねじ部を前記貫通孔の内周面のねじ溝に螺合装着させるようになっている。つまり、この特許文献１では、前記挿通子の長手方向両端を支持する形態にしている。
【先行技術文献】
【特許文献】
【０００４】
【特許文献１】特許第４８７５８９０号公報
【考案の概要】
【考案が解決しようとする課題】
【０００５】
上記特許文献１では、前記挿通子の長手方向両端を支持する形態にしている関係より、前記上部支柱に前記挿通子の先端側を嵌合挿入させるための筒状部を設ける必要があって、前記上部支柱の製造コストが嵩むことが懸念される。しかも、上記特許文献１では、前記挿通子の先端側を前記上部支柱の筒状部内の取付孔に嵌合挿入するようにしているだけであって、挿通子の長さが上部支柱の外径寸法の約半分と短くなっているために、使用者の体重を支えるには耐荷重性が不十分となることが懸念される。
【０００６】
これに対し、本願出願人は、例えば図５に示すように、支持筒部４に対する柱３ａ，３ｂの挿入深さを調整するための高さ調整ねじ８を用いることを考えている。
【０００７】
具体的に、前記高さ調整ねじ８は、前記支持筒部４の上下方向所定間隔おきに設けられる大径ねじ孔４ｂのうちのいずれか１つに螺合装着されるもので、支持筒部４を横切って当該支持筒部４の内壁面に押し付けられることによって支持筒部４内に挿入されている柱３ａ，３ｂの底部を受け止めるようになる。このように高さ調整ねじ８は、その長手方向一端側が支持筒部４の大径ねじ孔４ｂに螺合されることで支持されていて、長手方向他端側が支持筒部４の内壁面に押し付けられることで突っ張り支持されており、これによって姿勢が傾かないようになっている。これにより、特許文献１に示した前記挿通子支持用の筒状部を省略できるようになる他、前記柱から高さ調整ねじに使用者の体重が作用したときの耐荷重性が十分高いものとなる。
【０００８】
なお、図５では、ベース２に締結プラグ５で取り付けられている支持筒部４に対する柱３ａ，３ｂの抜け止めを止めねじ７で行うようにしている。この止めねじ７は、前記支持筒部４の上方に設けられる２つの小径ねじ孔４ａに螺合装着されるもので、その先端が支持筒部４内に挿入されている柱３ａ，３ｂの外周面に押し付けられることにより当該柱３ａ，３ｂが支持筒部４の内壁面に押し付けられるようになる。
【０００９】
ところで、前記高さ調整ねじ８については、長手方向全長の外周面に雄ねじ部を形成したものにしているために、当該高さ調整ねじ８を大径ねじ孔４ｂに螺合装着するためのねじ回し回数が多くなり過ぎている。そのため、高さ調整ねじ８の装着作業ならびに取り外し作業に手間がかかり過ぎるなど、支持筒部４に対する柱３ａ，３ｂの挿入深さを調整する作業（高さ調整作業）が面倒になっており、ここに改良の余地がある。この他、支持筒部４の外周を塗装する際に大径ねじ孔４ｂ内のねじ溝に塗料が付着しているような場合には、初めて大径ねじ孔４ｂに高さ調整ねじ８を螺合するときのねじ回し操作に大きな力が必要になるとともに、その力を継続する時間が長くなる。
【００１０】
このような事情に鑑み、本考案は、床面上に設置されるベースと、このベース上に上向きに突出する状態で設けられる支持筒部と、上方に手摺部が設けられかつ前記支持筒部に下端部分が挿入される柱とを備える手摺スタンドにおいて、前記支持筒部に対する前記柱の挿入深さを調整する作業を簡単に行えるようにすることを目的としている。
【課題を解決するための手段】
【００１１】
本考案は、床面上に設置されるベースと、このベース上に上向きに突出する状態で設けられる支持筒部と、上方に手摺部が設けられかつ前記支持筒部に下端部分が挿入される柱とを備える手摺スタンドであって、前記支持筒部の上下方向所定間隔おきには、ねじ孔が設けられており、前記多数のねじ孔のうちのいずれか１つのねじ孔には、高さ調整ねじが螺合装着されており、前記高さ調整ねじは、前記支持筒部を横切って前記支持筒部の内壁面に押し付けられることによって前記支持筒部内に挿入されている柱の底部を受け止めて前記支持筒部に対する柱の挿入深さを調整するものであり、前記高さ調整ねじは、その長手方向一端側領域にのみ前記ねじ孔に螺合する雄ねじ部が設けられ、前記長手方向の残り領域全域の外周面が円形でかつ前記ねじ孔よりも小径に形成されている、ことを特徴としている。
【００１２】
この構成では、前記支持筒部に対する柱の挿入深さを調整するために高さ調整ねじを用いるようにしている。
【００１３】
前記高さ調整ねじについては、前記支持筒部のねじ孔に螺合装着されるような雄ねじ部を長手方向一端側領域にのみ設けて、それ以外の領域の外周面には雄ねじ部を設けずに円形でかつ前記ねじ孔よりも小径にしているから、当該高さ調整ねじをねじ孔にねじ込む量が少なくて済むなど、当該螺合作業が従来例（図５に示すように長手方向全長に雄ねじ部を設けている場合）に比べて簡単かつ迅速に行えるようになる。
【００１４】
しかも、高さ調整ねじの長手方向一端側が支持筒部のねじ孔に螺合支持されていて、高さ調整ねじの長手方向他端側が支持筒部の内壁面に押し付けられることで突っ張り支持されているので、高さ調整ねじの姿勢が傾かないようになっている。これにより、特許文献１に示した前記挿通子支持用の筒状部を省略できるようになる他、前記柱から高さ調整ねじに使用者の体重が作用したときの耐荷重性が十分高いものとなる。
【００１５】
これらの結果、前記支持筒部に対する前記柱の挿入深さを調整する作業（高さ調整作業）を前記従来例に比べて簡単かつ迅速に行えるようになる。
【００１６】
好ましくは、前記高さ調整ねじの各軸方向一端面には、ねじ回し工具が係合される凹部が設けられている。
【００１７】
この構成では、前記高さ調整ねじに工具係合用の凹部を設けたものにしているから、六角形の頭部を有する一般的なボルトのように、ねじ孔から外側へ飛び出さないので、邪魔にならずに済む。
【００１８】
好ましくは、前記支持筒部の前記多数のねじ孔の上方には、さらにねじ孔が設けられており、このねじ孔には、止めねじが螺合装着されており、この止めねじは、その先端が前記支持筒部内に挿入されている柱の外周面に押し付けられることによって前記支持筒部からの前記柱の抜け出しを防止する、構成とすることができる。
【００１９】
この場合、前記支持筒部に挿入される柱の抜け出しを防止することが可能になる。この止めねじについては、前記支持筒部のねじ孔に螺合装着されるような短いものにしているから、前記ねじ孔にねじ込む量が少なくて済むなど、当該螺合作業が比較的簡単かつ迅速に行えるようになる。
【考案の効果】
【００２０】
本考案に係る手摺スタンドは、面上に設置されるベースと、このベース上に上向きに突出する状態で設けられる支持筒部と、上方に手摺部が設けられかつ前記支持筒部に下端部分が挿入される柱とを備える構成であって、前記支持筒部に対する前記柱の挿入深さを調整する作業を従来例に比べて簡単に行うことが可能になる。
【図面の簡単な説明】
【００２１】
【図１】本考案に係る手摺スタンドの一実施形態を示す斜視図である。
【図２】図１の手摺スタンドを分解した斜視図である。
【図３】図１の支持筒部を断面にして示す図である。
【図４】図３において支持筒部から止めねじおよび高さ調整ねじを取り外した状態を示す図である。
【図５】従来例の手摺スタンドを示す図であり、図３に対応する図である。
【考案を実施するための形態】
【００２２】
以下、本考案を実施するための最良の実施形態について添付図面を参照して詳細に説明する。
【００２３】
図１から図４に、本考案の一実施形態を示している。図中、１は手摺スタンドの全体を示している。
【００２４】
手摺スタンド１は、ベース２にフレーム３を取り付けた構成になっている。これらを以下で詳細に説明する。
【００２５】
ベース２は、床面上に設置されるもので、矩形の板とされている。ベース２の素材は、金属、またはエンジニアリングプラスチックなどの合成樹脂とされる。
【００２６】
ベース２は、手摺スタンド１の転倒を回避するために、重心が低く床面との接触面積が大きくされるのが好ましい。そこで、ベース２は、その中央付近がわずかに上向きに隆起して周縁に向けて徐々に斜め下がりとなるような形状とされることによって、床面上のすわりを安定化させるようにしている他、ベース２の中央付近を床面から浮かせることによって後述する締結プラグ５の下側への張り出しを許容するためのスペースを確保させるようにしている。
【００２７】
また、ベース２の四隅が丸く形成されているとともに、その外周縁にゴムなどの緩衝材６が取り付けられている。これにより、ベース２が床面上で滑りにくくなる他、床面上で滑らせられたときに床面にすり傷を付けにくくできるようになる。
【００２８】
このベース２には、下記するフレーム３を支持するための支持筒部４が２つ上向きに突出する状態で設けられている。
【００２９】
支持筒部４は、長手方向両端が開放された円筒形の部材とされ、その上側開口からフレーム３の柱３ａ，３ｂの下端部分が挿入されるようになっている。この支持筒部４は、使用時に柱３ａ，３ｂを支持するのに十分な強度と長さとを有する円筒部材とすることが好ましく、その素材としては、例えば金属または合成樹脂（エンジニアリングプラスチックなど）とされる。また、支持筒部４の表面には塗装を施すか、あるいは樹脂製フィルムを貼着することによって錆や傷を防ぐようにすることが可能である。
【００３０】
この支持筒部４をベース２に連結するために、締結プラグ５が用いられている。この締結プラグ５は、支持筒部４の下側開口に合致して挿入される大きさの雄ねじ軸部５ａと、この雄ねじ軸部５ａの下端に設けられる径方向外向きの鍔５ｂとを備えている。鍔５ｂは支持筒部４の内径寸法よりも大きく設定されている。
【００３１】
そして、図３に示すように、締結プラグ５の雄ねじ軸部５ａをベース２に形成されている貫通孔２ａから差し入れて支持筒部４の下端内周面に形成されている雌ねじ４ｃに螺合挿入することによって、ベース２が支持筒部４の下端面と締結プラグ５の径方向外向き鍔５ｂとで挟まれるようになる。これにより、支持筒部４がベース２上に一体に連結されることになる。なお、締結プラグ５の雄ねじ軸部５ａの先端面にゴムなどの弾性材を接着すれば、支持筒部４内に挿入される柱３ａ，３ｂの下端の衝突時における衝撃を減衰、吸収させることが可能である。
【００３２】
フレーム３は、あたかも梯子のような形状とされており、２本の柱３ａ，３ｂに４本の梁３ｃ，３ｄ，３ｅ，３ｆを２個のＬ字形の継手３ｇおよび６個のＴ字形の継手３ｈを用いて取り付ける構成になっている。
【００３３】
２本の柱３ａ，３ｂは、それぞれ鉛直方向または上下方向に沿う棒状部材とされ、平行に所定間隔離された状態で配置されている。４本の梁３ｃ，３ｄ，３ｅ，３ｆは、それぞれ水平方向または左右方向に沿う棒状部材とされ、２本の柱３ａ，３ｂの対向間に上下方向所定間隔おきに互いに平行となるように架け渡されている。
【００３４】
この２本の柱３ａ，３ｂに４本の梁３ｃ，３ｄ，３ｅ，３ｆを連結するために、２個のＬ字形の継手３ｇおよび６個のＴ字形の継手３ｈが用いられている。但し、前記各継手３ｇ，３ｈを用いずに、接着あるいは溶着などとすることが可能である。
【００３５】
前記２本の柱３ａ，３ｂおよび４本の梁３ｃ，３ｄ，３ｅ，３ｆは、使用者が立ち上がる際あるいは伝い歩きする際に掴まれる手摺として利用されるので、人が掴み易い太さで十分な強度を有する円筒部材とすることが好ましい。この２本の柱３ａ，３ｂおよび４本の梁３ｃ，３ｄ，３ｅ，３ｆの素材としては、例えば金属または合成樹脂（エンジニアリングプラスチックなど）とされる。
【００３６】
そして、フレーム３の柱３ａ，３ｂの下側部分を支持筒部４に挿入した状態で柱３ａ，３ｂの抜け出しを防止するために、止めねじ７が用いられるようになっている。この止めねじ７は、支持筒部４の所定位置に上下に離隔して設けられる２つの小径ねじ孔４ａにそれぞれ螺合装着されることによって、支持筒部４に挿入される柱３ａ，３ｂの外周に押し付けられて当該柱３ａ，３ｂの外周面を支持筒部４の内周面に押し付けるように作用する。
【００３７】
また、フレーム３の高さは、適宜に変更することが可能になっている。この高さは、支持筒部４に対するフレーム３の柱３ａ，３ｂの挿入深さを変えることで変更することが可能になっている。
【００３８】
具体的に、図３および図４に示すように、支持筒部４の側面には、その長手方向所定間隔おきに４つの大径ねじ孔４ｂが設けられており、この４つの大径ねじ孔４ｂのいずれか１つに、柱３ａ，３ｂの下端を受け止めるための高さ調整ねじ８を螺合挿入する形態になっている。
【００３９】
つまり、４つの大径ねじ孔４ｂのいずれか１つに対する高さ調整ねじ８の螺合挿入位置を変えれば、支持筒部４内への柱３ａ，３ｂの挿入深さを変えることが可能になり、それによってフレーム３の各梁３ｃ，３ｄ，３ｅ，３ｆの高さを変更することが可能になるのである。
【００４０】
高さ調整ねじ８は、止めねじ７よりも長尺とされており、前記多数の大径ねじ孔４ｂのうちのいずれか１つに螺合装着されたときに、支持筒部４を横切って当該支持筒部４の内壁面に押し付けられることによって支持筒部４内に挿入されている柱３ａ，３ｂの底部を受け止めるようになる。
【００４１】
このとき、高さ調整ねじ８は、その長手方向一端側が支持筒部４の大径ねじ孔４ｂに螺合されることで支持されていて、長手方向他端側は支持筒部４の内壁面に押し付けられることで突っ張り支持されており、これによって姿勢が傾かないようになっている。
【００４２】
そして、高さ調整ねじ８は、その長手方向一端側領域にのみ大径ねじ孔４ｂに螺合する雄ねじ部８ａが設けられていて、前記長手方向の残り領域全域の外周面が円形でかつ大径ねじ孔４ｂよりも小径に形成されている。
【００４３】
また、止めねじ７および高さ調整ねじ８の各軸方向一端面の中心部分には、図示していない六角レンチなどのねじ回し工具が係合可能とされるように六角形状の凹部７ａ，８ｂが設けられている。
【００４４】
ここで、フレーム３の高さ調整方法を説明する。
【００４５】
まず、前記止めねじ７を図示していない工具（六角レンチなど）で緩めることにより、フレーム３の各柱３ａ，３ｂを各支持筒部４に対して上下方向に変位可能な状態にしておく。次いで、高さ調整ねじ８を図示していない工具（六角レンチなど）で緩めることにより大径ねじ孔４ｂから抜き出し、フレーム３を目標高さにしてから、その高さを保持するように、４つの大径ねじ孔４ｂのいずれか１つに高さ調整ねじ８を螺合挿入し、この高さ調整ねじ８上にフレーム３の柱３ａ，３ｂを降ろして載せればよい。
【００４６】
以上説明したように本考案を適用した実施形態の手摺スタンド１は、支持筒部４に対する柱３ａ，３ｂの挿入深さを調整するために高さ調整ねじ８を用いるとともに、支持筒部４に挿入される柱３ａ，３ｂの抜け出しを防止するために止めねじ７を用いるようにしている。
【００４７】
前記止めねじ７については、支持筒部４の小径ねじ孔４ａに螺合装着されるような短いものにしているから、小径ねじ孔４ａにねじ込む量が少なくて済むなど、当該螺合作業を比較的簡単かつ迅速に行うことが可能になる。
【００４８】
前記高さ調整ねじ８については、支持筒部４の大径ねじ孔４ｂに螺合装着されるような雄ねじ部８ａを長手方向一端側領域にのみ設けて、それ以外の領域の外周面は円形でかつ大径ねじ孔４ｂよりも小径にして雄ねじ部８ａを設けないようにしているから、高さ調整ねじ８を大径ねじ孔４ｂにねじ込む量が少なくて済むなど、当該螺合作業を従来例（図５に示すように長手方向全長に雄ねじ部を設けている場合）に比べて簡単かつ迅速に行うことが可能になる。しかも、高さ調整ねじ８の長手方向一端側を支持筒部４の大径ねじ孔４ｂに螺合支持させていて、高さ調整ねじ８の長手方向他端側を支持筒部４の内壁面に突っ張り支持させるようにしているから、高さ調整ねじ８の姿勢が傾かないようになる。これにより、特許文献１に示した前記挿通子支持用の筒状部を省略できるようになる他、柱３ａ，３ｂから高さ調整ねじ８に使用者の体重が作用したときの耐荷重性が十分高いものとなる。
【００４９】
このような形態で止めねじ７や高さ調整ねじ８の着脱操作を行うことが可能になるので、手摺スタンド１の組立、分解作業ならびにフレーム３の高さ調整作業を簡単かつ迅速に行うことが可能になる。
【００５０】
この他、支持筒部４の外周を塗装する際に大径ねじ孔４ｂ内のねじ溝に塗料が付着しているような場合であっても、初めて大径ねじ孔４ｂに高さ調整ねじ８を螺合する過程において大きなねじ回し操作力が必要になる時間を短くできるようになるなど、作業性が向上する。
【００５１】
しかも、この実施形態では、止めねじ７および高さ調整ねじ８に工具係合用の凹部７ａ，８ｂを設けたものにしているから、六角形の頭部を有する一般的なボルトのように、小径ねじ孔４ａ，大径ねじ孔４ｂから外側へ飛び出さないので、邪魔にならずに済む。これにより、手摺スタンド１の使用者が止めねじ７および高さ調整ねじ８に当たることが無くなるので、安全面において優れたものとなる。
【００５２】
なお、本考案は、上記実施形態のみに限定されるものではなく、特許請求の範囲内および当該範囲と均等の範囲内で適宜に変更することが可能である。
【００５３】
例えば上記実施形態では、手摺スタンド１のフレーム３について２本の柱３ａ，３ｂと４本の梁３ｃ，３ｄ，３ｅ，３ｆとを有する例を挙げているが、本考案はこれのみに限定されるものではなく、前記柱（３ａ，３ｂ）や梁（３ｃ，３ｄ，３ｅ，３ｆ）の数は任意である。また、支持筒部４の小径ねじ孔４ａおよび大径ねじ孔４ｂの数についても任意である。
【００５４】
この他、上記実施形態において、止めねじ７および小径ねじ孔４ａを無くした構成の手摺スタンドも本考案に含まれる。
【産業上の利用可能性】
【００５５】
本考案は、例えば高齢者などが立ち上がる際あるいはリハビリテーションなどを行う際にバランスを保つように補助可能とするとともに、足腰の負担を軽減可能とするための手摺スタンド１に好適に利用できる。
【符号の説明】
【００５６】
１      手摺スタンド
２      ベース
３      フレーム
３ａ，３ｂ    フレームの柱
３ｃ〜３ｆ    フレームの梁
４      支持筒部
４ａ    支持筒部の小径ねじ孔
４ｂ    支持筒部の大径ねじ孔
５      締結プラグ
７      止めねじ
８      高さ調整ねじ
８ａ    高さ調整ねじの雄ねじ部
８ｂ    高さ調整ねじの凹部
【図１】
0003185591.tif 000003
【図２】
0003185591.tif 000004
【図３】
0003185591.tif 000005
【図４】
0003185591.tif 000006
【図５】
0003185591.tif 000007